(57)【特許請求の範囲】
【請求項１】
軒樋本体を、その前面板上部を後方斜め上方へ屈曲させた屈曲部と底板とに凹溝を設けて形成し、長尺状の化粧部材を、該凹溝に係着される係着片をその上下にそれぞれ設けて形成し、同化粧部材を軒樋本体の前面板前方に固着し、該軒樋本体の上方開口に、その長手方向の一縁端に設けた下向きの突部を有する上カバーを、その前面板の凹溝に同突部を係合させ付設して成る軒樋装置。
【請求項２】
上カバーは、水抜き孔を有するとともにその長手方向の他縁端が建物の軒先部材下方に位置されて成ることを特徴とする請求項１記載の軒樋装置。
【発明の詳細な説明】
【０００１】
【発明の属する技術分野】
本発明は、軒樋本体をより建物に適合した形態にするための化粧部材を備えた軒樋装置に関するものである。
【０００２】
【従来の技術】
従来から、図８（ａ）に示す如く、軒樋装置を建物の屋根に一体感をもたせて設けることのできる、図８（ｂ）の拡大図に示すような、軒樋本体２の前面板２２へ軒飾りＡを併設した軒樋装置が提案されている。この軒飾りＡは、例えば図９に示すような、支持具である吊金具Ｂを用いて、軒樋本体２とともに断面略コ字状の軒樋本体２の前面板２２の上部に支持され、建物の屋根端部に取り付けられる。
【０００３】
吊金具Ｂは、支持片Ｃ及び軒飾り保持片Ｄの各上面に蝶ナットＥ、Ｅにて固定片Ｆ、Ｆが装着されており、各固定片Ｆの先端部分と支持片Ｃ及び軒飾り保持片Ｄに一体化された支持金具Ｇ、Ｈとの間にて、耳部ａ、ａを保持する保持部がそれぞれ形成されている。したがって、吊金具Ｂによって、吊金具Ｂの各保持部に耳部ａをそれぞれ挿入した後に蝶ナットＥ、Ｅを締め付けて、軒樋本体２とともに軒飾りＡを保持して、１つの形状の軒樋本体２に各種形状の化粧部材である軒飾りＡを併設し、軒樋本体２をより建物に適合させて設けることが出来る。
【０００４】
【発明が解決しようとする課題】
しかしながら、上記従来の技術においては、軒飾りＡを設けるためには専用の吊金具Ｂを使用して軒樋本体２を支持させる必要がある。したがって、例えば、通常の吊金具を使用して上記の軒樋本体以外の軒樋を設置した後、施主等から建物の外観に軒樋形状が釣り合わない等の意見が発せられて、軒樋装置の意匠の変更を行おうとした場合、その吊金具を取り外した後、建物の外観により見合った新たな軒樋装置を設けるため、例えば上記のような新たな専用の吊金具Ｂを設置し軒樋装置を設ける必要があった。そのため、軒樋装置の施工の際の、意匠変更の対応に多くの時間を要するという問題があった。
【０００５】
なお、実開平４−８７９２８として、化粧部材である各種形状の化粧板を、専用の吊金具を設置することなく、軒樋本体の前側壁に設けた長手方向に長い、相対する１組の係止爪に取り付けることの出来る軒樋装置が提案されている。しかし、この場合、化粧板を軒樋本体に一体化させた外観を得ることが難しく、また、軒樋本体の前側壁のみに化粧板から荷重が加わることにより、径年的に施工状態が変化して吊金具から軒樋本体が離脱する等の不具合発生も想定された。
【０００６】
本発明は、上記事由に鑑みてなしたもので、その目的とするところは、軒樋本体化粧用の化粧部材を簡単に設けることが出来て、より建物に適合した形態に容易に対応可能な軒樋装置を提供することにある。
【０００７】
【課題を解決するための手段】
上記目的を達成するために、請求項１記載の軒樋装置は、軒樋本体を、その前面板上部を後方斜め上方へ屈曲させた屈曲部と底板とに凹溝を設けて形成し、長尺状の化粧部材を、該凹溝に係着される係着片をその上下にそれぞれ設けて形成し、同化粧部材を軒樋本体の前面板前方に固着して成る。
【０００８】
したがって、この場合、軒樋本体の前面板上部を後方斜め上方へ屈曲させた屈曲部と底板とに設けられた凹溝に、長尺状の化粧部材の上下にそれぞれ設けられた係着片を係着させて化粧部材を軒樋本体の前面板前方に固着することができる。
【０００９】
また、軒樋本体の上方開口に、その長手方向の一縁端に設けた下向きの突部を有する上カバーを、その前面板の凹溝に同突部を係合させ付設している。
【００１０】
したがって、この場合、軒樋本体の前面板の凹溝に、上カバーの長手方向の一縁端に設けられた下向きの突部が係合され、軒樋本体の上方開口に上カバーが付設される。
【００１１】
また、請求項２記載の軒樋装置は、請求項１記載の上カバーは、水抜き孔を有するとともにその長手方向の他縁端が建物の軒先部材下方に位置されて成る。
【００１２】
したがって、この場合、水抜き孔を有する上カバーの長手方向の一縁端の突部が係合され、その長手方向の他縁端が建物の軒先部材下方に位置されて、軒樋本体に付設される。
【００１３】
【発明の実施の形態】
図１乃至図５は、参考例を示し、図６、図７は、本発明の請求項１及び２に対応する実施の形態を示している。
【００１４】
［参考例］図１は、参考例の軒樋装置を示す斜視図である。図２は、同軒樋装置の本体の設置状態を示す斜視図である。図３は、同軒樋装置の化粧部材を示す斜視図である。図４は、同軒樋装置の支持具の設置状態の斜視図である。図５は、同軒樋装置の設置状態を示す斜視図である。
【００１５】
この参考例の軒樋装置１は、軒樋本体２を、その前面板２２上部を後方斜め上方へ屈曲させた屈曲部と底板２１とに凹溝２４、２５を設けて形成し、長尺状の化粧部材３を、該凹溝２４、２５に係着される係着片３１、３２をその上下にそれぞれ設けて形成し、同化粧部材３を軒樋本体２の前面板２２前方に固着して成る。
【００１６】
詳しくは、軒樋装置１は、この場合、図１に示すように、軒先に設置された合成樹脂製の支持具５に支持された軒樋本体２と、この軒樋本体２の前面板２２前方に固着された化粧部材３とにより構成される。
【００１７】
軒樋本体２は、例えば図２に示すような、上方開口２９を有する断面大略コ字状であって、鋼板のような金属板の両面に合成樹脂材料を被覆して形成され、前面板２２が底板２１前端から前方へいくように傾斜して階段状に立ち上がり、さらに上部へいくにしたがって後方に傾斜するように途中で屈曲しており、この前面板２２上部には前耳２６が形成されている。また、後面板２３が底板２１後端から略垂直に立ち上がり、この後面板２３上部には後耳２７が形成されている。前耳２６及び後耳２７には、後述する支持具５にて安定して支持されて軒先に設置されるよう、それぞれ支持溝が長手方向に沿って併設されている。
【００１８】
前面板２２は、この場合、下部に意匠を兼ねて、この前面板２２を流下する雨水の水切りを行うための階段屈曲部２８が設けられ、また、一方の凹溝２４が、上部を後方に傾斜するように屈曲させる途中の中央屈曲部２２ａの上部近傍に所定巾寸法をもって設けられている。そして、この場合、底板２１の前端に他方の凹溝２５が設けられており、後述する化粧部材３を前面板２２に沿わせて安定して固着出来るようになっている。
【００１９】
化粧部材３は、鋼板のような金属板の両面に合成樹脂材料を被覆し、例えば図３に示すように、上部に、その後方端部を一端垂下させ、さらに上記凹溝２４の溝巾に対応する巾寸法だけ後方へ略Ｌ字状に折曲させた係着片３１と、下部にその後方縁端を所定高さ立ち上げた係着片３２とを有している。そして、この化粧部材３は、上部に水切り用の突部３３及びこの突部下方に、例えば平坦面である意匠スペース３４を有して所定巾寸法の長尺状に形成されている。なお、意匠スペース３４には、図３に示す平坦面以外に、上記軒樋本体２の階段屈曲部２８とは異なる、例えば湾曲面による外観、細い多数の突部を列設した外観等の、各種意匠面を形成することが出来る。
【００２０】
上記の軒樋装置１は、例えば図４に示すような、ポリカーボネート樹脂等の合成樹脂材料の支持具５にて支持される。詳しくは、この支持具５は、軒樋本体２の、前耳２６の支持溝に係合し前側を支持する前支持部５１、及び後耳２７を支持する後支持部５２と、軒樋本体２の底板２１に略当接する底当接片５３とが、建物の軒先等の屋根端部に取り付けられる固定板５４から前側に凸設された、側面視略Ｔ字状の支持片５５に一体形成されている。なお、支持具５は、この固定板５４が、軒樋本体２の上方開口２９に軒先部材である軒下地材８に沿って流下する雨水を導く水切り板６とともに、軒先部材である鼻板７へ木ねじ等の固定具を用いて固着されている。
【００２１】
この軒樋装置１においては、まず、軒樋本体２の下側の凹溝２５へ化粧部材３の係着片３２を引っかけて、次いで、化粧部材３の上側の係着片３１を軒樋本体２の上側の凹溝２４へ係着させ、適宜接着剤にて互いの当接面同士を接着し、図１に示すように、化粧部材３を軒樋本体２の前面板２２前方に固着する。そして、図５に示すように、軒先に設けた支持具５に軒樋本体を支持させて設置することができる。
【００２２】
また、軒樋装置１においては、軒樋本体２のみを、図２に示すように、軒先に設けた支持具５に支持させて設置することもできる。そして、例えば、上記の軒樋本体２を設置した後、施主等から建物の外観に軒樋本体が釣り合わない等の意見が発せられて、軒樋装置の意匠の変更を行おうとした場合、支持具５を取り外すことなく、建物の外観により見合った化粧部材３を軒樋本体２の前面板２２前方に固着すれば良い。
【００２３】
したがって、以上説明した軒樋装置１によると、軒樋本体２の前面板２２上部を後方斜め上方へ屈曲させた屈曲部と底板２１とに設けられた凹溝２４、２５に、長尺状の化粧部材３の上下にそれぞれ設けられた係着片３１、３２を係着させて化粧部材３を軒樋本体２の前面板２２前方に固着することができるので、軒樋本体２化粧用の化粧部材３を簡単に設けることが出来て、より建物に適合した形態に容易に対応させることが出来る。
【００２４】
［実施の形態］図６は、実施の形態の軒樋装置の設置状態を示す斜視図である。図７は、同軒樋装置の上カバーを示す斜視図である。
【００２５】
この実施の形態の軒樋装置は、上カバーを付加した点のみが参考例と異なるもので、他の構成部材は参考例のものと同一で、該実施の形態の軒樋装置１は、軒樋本体２の上方開口２９に、その長手方向の一縁端に設けた下向きの突部４１を有する上カバー４を、その前面板２２の凹溝２４に同突部４１を係合させ付設している。また、該実施の形態の軒樋装置１は、上カバー４は、水抜き孔４３を有するとともにその長手方向の他縁端が建物の軒先部材下方に位置されてもいる。
【００２６】
詳しくは、この上カバー４は、落ち葉あるいは降雪が軒樋本体２内に蓄積されるのを防ぐための落ち葉よけ部材で、鋼板のような金属板の両面に合成樹脂材料を被覆し、図７に示すように、その長手方向の一縁端である前縁に、その端部を一端垂下させ、前述の軒樋本体２の凹溝２４の溝巾に対応する巾寸法だけさらに前側に略Ｌ字状に折曲させた突部４１、及びその長手方向の他縁端である後縁に後耳４２を有して、所定巾寸法の長尺状に形成されている。なお、この上カバー４は、その内側に水抜き孔４３が長手方向に所定間隔に複数形成され、さらにこの水抜き孔４３の前側には、この上カバー４上面を流下する雨水を水抜き孔４３に確実に導くための段差４４が形成され、この段差４４から前縁の突部４１に向けて緩やかに傾斜させてある。
【００２７】
したがって、この上カバー４に滴下した雨水は、この上カバー４を軒樋本体２へ固着して使用する際には水抜き孔４３と、前縁の突部４１から凹溝２４へ向けて流れ込み、適宜軒樋本体２内の流路へ導かれる。なお、この場合、突部４１には、突部４１から凹溝２４へ雨水を円滑に流下させるための開口４５が所定間隔をもって穿設されている。
【００２８】
上記の軒樋装置１においては、図２に示すように、軒樋本体２のみを軒先に設けた支持具５に支持させて設置する場合、あるいは、図５に示すように、建物の外観により見合った化粧部材３を軒樋本体２の前面板２２前方に固着させて設置するの何れの場合にも、上カバー４の上側の前縁の突部４１を軒樋本体２の上側の凹溝２４へ係着させ、突部４１の後ろの傾斜面の裏面と軒樋本体２とを適宜接着剤にて接着し、図６に示すように、上カバー４の後縁の後耳４２の部分を建物の軒先部材下方に位置させて、軒樋装置１の外観を損なうことなく容易に設置することができる。
【００２９】
したがって、以上説明した軒樋装置１によると、軒樋本体２の前面板２２の凹溝２４に、上カバー４の長手方向の一縁端に設けられた下向きの突部４１が係合され、軒樋本体２の上方開口２９に上カバー４が付設されるので、軒樋の落ち葉よけ部材を軒樋装置１の外観を損なうことなく容易に設置することができる。
【００３０】
また、水抜き孔４３を有する上カバー４の長手方向の一縁端の突部４１が係合され、その長手方向の他縁端が建物の軒先部材下方に位置されて、軒樋本体２に付設されるので、軒樋の落ち葉よけ部材の上面を流下する雨水が軒樋本体２内部に確実に導かれ、以て、軒樋本体２から直接地面に雨水が滴下することがほとんど解消される。
【００３１】
【発明の効果】
上述の如く、本発明の請求項１記載の軒樋装置は、軒樋本体の前面板上部を後方斜め上方へ屈曲させた屈曲部と底板とに設けられた凹溝に、長尺状の化粧部材の上下にそれぞれ設けられた係着片を係着させて化粧部材を軒樋本体の前面板前方に固着することができるので、軒樋本体化粧用の化粧部材を簡単に設けることが出来て、より建物に適合した形態に容易に対応させることが出来る。
【００３２】
また、軒樋本体の前面板の凹溝に、上カバーの長手方向の一縁端に設けられた下向きの突部が係合され、軒樋本体の上方開口に上カバーが付設されるので、軒樋の落ち葉よけ部材を軒樋装置の外観を損なうことなく容易に設置することができる。
【００３３】
また、請求項２記載の軒樋装置は、請求項１記載のものの効果に加え、水抜き孔を有する上カバーの長手方向の一縁端の突部が係合され、その長手方向の他縁端が建物の軒先部材下方に位置されて、軒樋本体に付設されるので、軒樋の落ち葉よけ部材の上面を流下する雨水が軒樋本体内部に確実に導かれ、以て、軒樋本体から直接地面に雨水が滴下することがほとんど解消される。
【図面の簡単な説明】
【図１】本発明の参考例の軒樋装置を示す斜視図である。
【図２】同軒樋装置の本体の設置状態を示す斜視図である。
【図３】同軒樋装置の化粧部材を示す斜視図である。
【図４】同軒樋装置の支持具の設置状態の斜視図である。
【図５】同軒樋装置の設置状態を示す斜視図である。
【図６】実施の形態の軒樋装置の設置状態を示す斜視図である。
【図７】同軒樋装置の上カバーを示す斜視図である。
【図８】本発明の従来例である軒樋装置の軒飾りの説明図である。
【図９】同軒樋装置の支持構造を示す斜視図である。
【符号の説明】
１    軒樋装置
２    軒樋本体
２１  底板
２２  前面板
２４、２５  凹溝
２９  上方開口
３    化粧部材
３１、３２  係着片
４    上カバー
４１  突部
４３  水抜き孔
８    軒下地材（軒先部材）
【図１】
0003539216.tif 000002
【図２】
0003539216.tif 000003
【図３】
0003539216.tif 000004
【図４】
0003539216.tif 000005
【図５】
0003539216.tif 000006
【図６】
0003539216.tif 000007
【図７】
0003539216.tif 000008
【図８】
0003539216.tif 000009
【図９】
0003539216.tif 000010